(57)【要約】【課題】足の裏側の凹凸形状が一人一人相異することを考慮に入れることによって、量産品でも、購入者のほぼ総てが満足出来、然も、極力安価に作れる様にした、足の裏のツボ刺激機能を備える履き物の中底を提供する。【解決手段】履き物の中に敷く中底本体には、足の裏の複数のツボの夫々に対応した位置に貫通孔を設け、数本のツボ刺激用ロッドの各下端部を、各貫通孔に挿嵌状態で保持させたことを特徴とする。  複数本のツボ刺激用ロッドの各上端を、複雑な凹凸形状を備えた足の裏側に一様に当接させるべく、中底本体の上面への、各ツボ刺激用ロッドの突出高さを互いに相異させたことも特徴とする。  或いは、各ツボ刺激用ロッドを、貫通孔に遊嵌状態で挿嵌させ、その下端部を中底本体の下面側に幾分突出させると共に、中底本体の下面に反撥弾性を有するクッション板を重合させれば、指圧効果を高めさせ、且つ、効果を調節出来る。【選択図】図１
0003106866.tif 000002
【実用新案登録請求の範囲】
【請求項１】
履き物の中に敷く中底本体には、足の裏の複数のツボの夫々に対応した位置に貫通孔を設け、
数本のツボ刺激用ロッドの各下端部を、各貫通孔に挿嵌状態で保持させたことを特徴とする履き物の中底。
【請求項２】
複数本のツボ刺激用ロッドの各上端を、複雑な凹凸形状を備えた足の裏側に一様に当接させるべく、中底本体の上面への、各ツボ刺激用ロッドの突出高さを互いに相異させたことを特徴とする請求項１記載の履き物の中底。
【請求項３】
中底本体の下面に裏打板を貼着させ、ツボ刺激用ロッドの各下端面を、この裏打板に貼着させたことを特徴とする請求項１記載の履き物の中底。  
【請求項４】
各ツボ刺激用ロッドを、貫通孔に遊嵌状態で挿嵌させて、その下端部を中底本体の下面側に幾分突出させると共に、中底本体の下面には反撥弾性を有するクッション板を重合させることにより、指圧効果を高めさせ、
且つ、クッション板を、反撥弾性が異なるタイプのもに取り替えることにより、指圧作用力を調節出来る様にしたことを特徴とする請求項１記載の履き物の中底。
【考案の詳細な説明】
【技術分野】
【０００１】
本考案は、足の裏の凹凸形状が、顔かたち等と同様に一人一人相異していることを考慮に入れることによって、足の裏のツボ刺激効果をより高められる様に工夫された履き物の中底に関する。
【背景技術】
【０００２】
足の裏のツボを刺激する為の複数の突起を散在状に設けた、履き物用の中底、或いは履き物、乃至は、足の裏のツボ刺激用具の類は、従来から、実に様々なタイプのものが考案されて来た。
【０００３】
【特許文献１】実開昭６１−１００２０２
【特許文献２】特開平１１−２７６５４５
【考案の開示】
【考案が解決しようとする課題】
【０００４】
ところで、人の足の裏側は、“土踏まず”と呼ばれる窪んだ部分がある等して、複雑な凹凸形状を備えているのが一般である。そして、この凹凸形状は、人それぞれに相異している。
或いは、“土踏まず”の無い扁平足の人もいる。
【０００５】
ところが、従来の、ツボ刺激用突起を備えた中底や履き物は、この様な、足の裏側の凹凸形状に個人差があるこを考慮に入れずに作られて来た。
その為、使用者の総てが一様に満足出来る様なツボ刺激効果は、得られる筈もなかった。
【０００６】
かと云って、使用者の総てが一様に満足する様な製品を作ろうとすれば、従来の発想からすれば、極めて非能率なやり方で、一つ一つ手作りせざるを得ないことになる。
それでは、一つ一つを理想的な良品に仕上げられたとしても、手軽には買えない値段になってしまう。
【０００７】
そこで、本考案の目的は、足の裏の凹凸形状に個人差があることを十分に考慮に入れることにより、購入したほぼ総ての人に満足すべき効果が得られる様に改良され、然も、極力安価に製作出来る様に工夫された、足の裏のツボ刺激機能を備える履き物の中底を提供するにある。
【課題を解決するための手段】
【０００８】
上記の目的を達成する為の、本考案による履き物の中底は、  
履き物の中に敷く中底本体には、足の裏の複数のツボの夫々に対応した位置に貫通孔を設け、
数本のツボ刺激用ロッドの各下端部を、各貫通孔に挿嵌状態で保持させたことを特徴とする。
そして、複数本のツボ刺激用ロッドの各上端を、複雑な凹凸形状を備えた足の裏側に一様に当接させるべく、中底本体の上面への、各ツボ刺激用ロッドの突出高さを互いに相異させたことも特徴とする。
又、中底本体の下面に裏打板を貼着させ、ツボ刺激用ロッドの各下端面を、この裏打板に貼着させたことも特徴とする。  
或いは、各ツボ刺激用ロッドを、貫通孔に遊嵌状態で挿嵌させて、その下端部を中底本体の下面側に幾分突出させると共に、中底本体の下面には反撥弾性を有するクッション板を重合させることにより、指圧効果を高めさせ、
且つ、クッション板を、反撥弾性が異なるタイプのもに取り替えることにより、指圧作用力を調節出来る様にしてもよい。
【考案の効果】
【０００９】
本考案による履き物の中底は、以下に列挙した如き、実用上の優れた特長を備えている。
（ａ）中底本体の複数個所に設けた貫通孔の夫々に、挿嵌状態で植設した各ツボ刺激用ロッドは、中底本体の上面に突出させた部分の高さを、複雑な凹凸形状を備えた足の裏に一様に当接させられる様に、互いに相異させている。
（ｂ）その為、この様な配慮を欠くものに比べて、ツボ刺激効果を、ほぼ総ての使用者が確実に、且つ、より良く得ることが出来る。
（ｃ）上記の突出高さを調節するのに、中底本体に散在状に設けた貫通孔への、ツボ刺激用ロッドの差込深さを相異させる方法を採れば、この調節作業を簡単・迅速に行えるので、この作業に伴う経費増を少額に抑えられる。
（ｄ）ツボ刺激用ロッドを、貫通孔に遊嵌状態で挿嵌したうえ、その下端を、中底本体の下側に重合させたクッション板に当接させる様にすれば、指圧効果をより高めさせることが出来る。
（ｅ）又、クッション板を、反撥弾性が異なるタイプのものに取り替えて、指圧作用力を調節することも出来る。
【考案を実施するための最良の形態】
【００１０】
以下に、本考案の具体的な構成に就いて、その一例を図１〜図３を参照しながら説明する。
図１は、この実施例の履き物の中底Ａ１の縦断面図で、その上に足Ｂを載せた状態を仮想線で示している。図２は、中底Ａ１の平面図である。
そして、図３は、中底Ａ１の製法の一例を示した、製法略解図である。
【００１１】
図１，図２に示した様に、中底Ａ１を構成する中底本体１には、足の裏の複数のツボの夫々に対応した位置に、ツボ刺激用ロッド２を挿嵌させる為の貫通孔３を、縦向きに穿設している。
そして、中底本体１の下面には、裏打板４を貼着させている。
【００１２】
図１に示した様に、人の足Ｂの裏側は、上向きに窪んだ“土踏まず”がある等して、単なる平坦面ではなくて、複雑な凹凸面を成しているのが普通である。
そして、この凹凸形状には、勿論、幾分かの個人差がある。又、扁平足の人もいる。
【００１３】
そこで、複数本のツボ刺激用ロッド２の、夫々のツボ刺激機能を最大限に発揮させる為には、各ツボ刺激用ロッド２の上端を、足の裏の凹凸面に一様に当接させる必要がある。
それには、各ツボ刺激用ロッド２の上端部が、中底本体１の上面に突出している部分の高さを、足の裏の凹凸形状に対応させるべく、互いに相異させねばならない。
【００１４】
然し、足の裏の凹凸形状が夫々相異する、一人一人の使用者の夫々が満足出来る様な中底Ａ１を、極力安価に提供する為には、複数本のツボ刺激用ロッド２の一本毎に、上記の突出高さを調整する作業を、極力、簡単・迅速に行える方法を創案する必要がある。
【００１５】
この突出高さ調整作業の具体策の一例を、図３の（ａ）〜（ｃ）に、製法略解図として示した。
図３中のＣは、靴底Ａ１の組立作業台である。
【００１６】
組立作業台Ｃは、中底本体１の周縁部を受支持する為の、サークル状の支持枠１１を備えており、支持枠１１の内側領域は空間となっている。
そして、支持枠１１から所定間隔を隔てた下側には、上記の空間を塞ぐ様にして、適度の剛性と圧縮変形性とを併せ備えたスポンジ板１２を張設している。
【００１７】
又、組立作業時に、図（ｂ）に示した様に、又、後述する様に、一時的に中底本体１の上面に載置する、所定の厚さの板状スペーサー１３を付属させている。
この板状スペーサー１３には、上記の載置状態で、中底本体１に設けた複数の貫通孔３の夫々に対応した位置に、ツボ刺激用ロッド２を挿通させる為の挿通孔１４を設けている。  
【００１８】
尚、板状スペーサー１３は、後述する様に、足Ｂの重みを受け止める受圧板としての役割も備えている。
その為、板状スペーサー１３は、中底本体１の上面側ではなくて、下面側に当てがった状態で、支持枠１１の上に載せ架ける様にしてもよい。
【００１９】
次に、組立作業台Ｃを使って、靴底Ａ１を組立てる手順に就いて、その一例を説明する。  
先ず、図（ａ）に示した様に、支持枠１１の上に、複数の貫通孔３を穿設済みの中底本体１を載置する。
【００２０】
次いで、各貫通孔３の夫々に、所要寸法より長めに作られたツボ刺激用ロッド２を、遊嵌状態で差し込み、その下方部分は中底本体１の下側に突出させる。  
この突出端は、スポンジ板１２に受止めさせる。
【００２１】
続いて、中底本体１の上に、板状スペーサー１３を、その複数の挿通孔１４の夫々に、ツボ刺激用ロッド２を挿通させた状態で重ね置く。
板状スペーサー１３は、図１に示した様に、背丈が夫々異なる複数本のツボ刺激用ロッド２のうち、最も背丈の低いものでも、中底本体１の上面に所定寸法だけ突出した状態で、中底Ａ１が組上がる様にする役割を果たすことになる。
【００２２】
この様にして、組立途中の中底Ａ１を、組立作業台Ｃの上にセットし終えたら、次に、図（ｂ）に示した様に、履き物を履く人が、足Ｂの裏で、板状スペーサー１３をシッカリ踏みつける。
すると、図（ａ）に示した様に、中底本体１の上面に必要以上に突出していた各ツボ刺激用ロッド２は、この必要以上に突出していた部分が、中底本体１の裏側に押し出されて、各ツボ刺激用ロッド２の上端は、複雑な凹凸形状を備えた足Ｂの裏面に一様に当接された状態になる。
【００２３】
尚、足の裏面に押し付けられたツボ刺激用ロッド２は、足の裏の皮膚に幾分かは食い込むので、板状スペーサー１３による上記の役割は、必要不可欠のものではない。
然し、板状スペーサー１３は、可撓性材料で作られた中底本体１が、上記の如く、足Ｂで踏み付けられた時に、撓み変形するのを阻止する為の、受圧板としての別の役割も果たしてくれる。
【００２４】
次に、ツボ刺激用ロッド２を植設済みの中底本体１を、組立作業台Ｃから取り外したうえ、図（ｃ）に示した様に、各ツボ刺激用ロッド２の下部が中底本体１の裏側に押し出されている部分を、図中に示したＸ−Ｘラインに沿って切除する。
そのうえで、ツボ刺激用ロッド２の脱落防止にも役立つ裏打板４を、中底本体１の下面に貼着させれば、図１に示した形態を備える中底Ａ１が完成する。
【００２５】
次に、図４及び図５に、本考案による中底の別の実施例を示した。
図４は、この実施例の中底Ａ２の縦断面図、図５は、中底Ａ２を分解して示した縦断面図である。
【００２６】
中底Ａ２は、図４に示した様に、複数本のツボ刺激用ロッド２を、例えば、図１に示した様な所定の配置で植設した中底本体１と、その下面に重合させた、高比重のスポンジや軟質ゴム等の適度の反撥弾性を備えたクッション板５とで、構成されている。
そして、各ツボ刺激用ロッド２は、中底本体１の貫通孔３に、上下に摺動自在に遊嵌させている。  
【００２７】
次に、中底Ａ２の作用に就いて説明する。
図４に示した様に、中底Ａ２の上に足Ｂを載せると、その重みで、貫通孔３内を摺動自在のツボ刺激用ロッド２は下向きに押される。
ツボ刺激用ロッド２の下端面は、クッション板５の上面に当接されている。
その為、下向きに押されたツボ刺激用ロッド２の下端は、図４に示した様に、クッション板５の上面に幾分押し込まれる。
【００２８】
この状態で、クッション板５の弾撥力が、ツボ刺激用ロッド２を上向きに押し上げる様に作用し、ツボ刺激効果をより高めさせてくれる。
クッション板５の弾撥力、従って、ツボ刺激作用力は、クッション板５の材質や厚みを変えることによって、任意に変えることが出来る。  
【図面の簡単な説明】
【００２９】
【図１】本考案の一実施例を示すもので、中底の縦断面図であり、その使用状態の説明図も兼ねている。
【図２】同上、中底の平面図である。
【図３】同上、中底の組立方法の一例を示すもので、組立工程の略解図である。
【図４】本考案の他の実施例を示す、図１相当図である。
【図５】同上、中底を分解して示す縦断面図である。
【符号の説明】
【００３０】
Ａ１，Ａ２  中底
Ｂ  足
Ｃ  組立作業台
１  中底本体
２  ツボ刺激用ロッド
３  貫通孔
４  裏打板
５  クッション板
１１  支持枠
１２  スポンジ板
１３  板状スペーサー（兼・受圧板）
１４  挿通孔
【図１】
0003106866.tif 000003
【図２】
0003106866.tif 000004
【図３】
0003106866.tif 000005
【図４】
0003106866.tif 000006
【図５】
0003106866.tif 000007